(57)【要約】【課題】  ヒータからの熱を温風の熱源にして足載部の周りを温風で暖めるだけでなく、ファンの風を止めてもヒータからの熱で足載部を適度に加熱できるようにした暖房パネルを提供する。【解決手段】  ファン２６と第１ヒータ２４とが内蔵され、第１ヒータ２４の輻射熱により足の裏や足元周りを暖め、周囲から上向きに温風が吹出すように構成した。【選択図】図１
2005127649.tif 000002
【特許請求の範囲】
【請求項１】
吸気口を有するとともに上面に足載部及び複数の吹出口を設けてある暖房パネル本体と、
前記暖房パネル本体の内部に配置され、交互に平行に山部と谷部とが交互に形成されている波板状の放熱フィンと、
前記波板状の谷部内に配置された第１ヒータと、
前記吸気口より吸気した外気を送風口から前記第１ヒータ及び放熱フィンに向けて吹き出させるファンとを備え、
前記暖房パネル本体では前記放熱フィンにより前記第１ヒータからの熱を輻射させ前記足載部を加熱するとともに、
前記ファンにより送風口から吹き出した外気を前記放熱フィン及び第１ヒータに向けて吹き出して加熱させ、この加熱された外気による温風を前記吹出口から吹き出させるとともに、前記暖房パネル本体の左右方向に貫通する前記放熱フィンの山部又は谷部に沿って前記暖房パネル本体の左右方向の両端部の吹出口から吹き出させるように構成したことを特徴とする暖房パネル。
【請求項２】
ファンの送風口に前記第１ヒータとは別の第２ヒータを備えた請求項１に記載の暖房パネル。
【請求項３】
複数の吹出口は足載部をコ字状又はロ字状に囲むように設けられている請求項１又は２に記載の暖房パネル。
【発明の詳細な説明】
【技術分野】
【０００１】
本発明は、ファンとヒータとが内蔵され、足元を暖める暖房パネルに関する。
【背景技術】
【０００２】
台所やスーパーなどのレジで立ち作業する場合、輻射式の暖房パネルで足元を暖める場合、十分な暖房を得ようとすると表面の温度を高くしなければならず、足の裏だけが熱くなり不快であった。また、温風器により側面から温風で暖めようとすると温風の出口だけは暖かいが、それ以外の体の部分には冷たい風が当たりかえって寒く感じるものである。
【０００３】
そこで、ファンとヒータとを備えた足温器（床置き式の暖房器）が提案されている。この足温器は、吸気口を有するとともに上面に設けた足載部の周辺部（足元後方）に温風の吹出口を設けた足温器本体と、この足温器 本体内に設けられ前記吸気口より外気を吸気するファンと、このファンによって吸気された外気を加熱するべくファンの送風口に設けたヒータとを具備し、足載部近傍にその表面温度を検知する温度検知器を設けたものである。（特許文献１参照）
【特許文献１】特開平７−２３１９０７号公報
【０００４】
この足温器の場合、制御部に通電されると、ファンに通電されて外気を吸気口より吸い込むと同時に、ファンの送風口に設けたヒータに通電されて送風口からの外気を加熱して温風にするとともに、その温風は通風路を通って足載部を暖めながら、吹出口より外へ吹き出る。一方、温度検知器は、足載部の温度を検出して、その出力信号を制御部に送る。制御部では、その温度に基づき、温度が足温するのに最適な温度より低ければ、ファン、ヒータに大電流を流し、大風量、高発熱量でもって運転する。足載部の温度が足温するのに最適な温度に近づけば、ファン、ヒータへの供給電流を減らし、小風量、低発熱量でもって運転する。つまり、運転開始時はファン、ヒータを大出力でもって運転し、速暖性を良くするが、運転を開始してある程度時間が経過して足載部が暖まれば、小出力となって足載部の温度を維持するとともに、静かな運転を行う。
【発明の開示】
【発明が解決しようとする課題】
【０００５】
しかしながら、特許文献１に記載の足温器の場合には、足元後方または足元前方を暖めるだけであり、温風のこない体の部分は冷たいままであり、台所やスーパーなどのレジで立ち作業する場合には、十分な暖房ではなかった。そして、ヒータがファンの送風口に設けられているので、十分な暖房を得ようとするとヒータの発熱量を高発熱量にしてファンの送風口からの温風を高温にして足載部の表面の温度を高くするが、足載部の表面の温度調整にともなって吹出口から吹出す温風の温度が十分な高温とならなかったり、又は温風の温度が熱くなりすぎたりして不快であったり、また、ファンの風を止めると足載部の表面の温度調整がうまく調整できなかったりするため改善が望まれていた。
【０００６】
解決しようとする課題は、ヒータからの熱を温風の熱源にして足載部の周りを温風で暖めるだけでなく、ファンの風を止めてもヒータからの熱で足載部を適度に加熱できるようにした暖房パネルを提供することである。
【課題を解決するための手段】
【０００７】
上記課題を解決するために請求項１に記載の発明は、吸気口を有するとともに上面に足載部及び複数の吹出口を設けてある暖房パネル本体と、前記暖房パネル本体の内部に配置され、交互に平行に山部と谷部とが交互に形成されている波板状の放熱フィンと、前記波板状の谷部内に配置された第１ヒータと、前記吸気口より吸気した外気を送風口から前記第１ヒータ及び放熱フィンに向けて吹き出させるファンとを備え、前記暖房パネル本体では前記放熱フィンにより前記第１ヒータからの熱を輻射させ前記足載部を加熱するとともに、前記ファンにより送風口から吹き出した外気を前記放熱フィン及び第１ヒータに向けて吹き出して加熱させ、この加熱された外気による温風を前記吹出口から吹き出させるとともに、前記暖房パネル本体の左右方向に貫通する前記放熱フィンの山部又は谷部に沿って前記暖房パネル本体の左右方向の両端部の吹出口から吹き出させるように構成したことを特徴とする暖房パネルである。
【０００８】
また、請求項２に記載の発明は、ファンの送風口に前記第１ヒータとは別の第２ヒータを備えた請求項１に記載の暖房パネルである。
【０００９】
また、請求項３に記載の発明は、複数の吹出口は足載部をコ字状又はロ字状に囲むように設けられている請求項１又は２に記載の暖房パネルである。
【発明の効果】
【００１０】
本発明によれば、ヒータからの熱を温風の熱源にして足載部の周りを温風で暖めるだけでなく、ファンの風を止めてもヒータからの熱で足載部を適度に加熱できる。
【００１１】
また、温風が足載部の足元後方または足元前方を暖めるだけでなく、足載部を囲んで吹出すようにすることで、台所やスーパーなどのレジで立ち作業する場合に足元を囲んで脚部全体に温風が吹出すようにできるので十分な暖房となる。
【発明を実施するための最良の形態】
【００１２】
本発明の一実施形態の暖房パネルについて図面を用いて詳細に説明する。図１は、本発明の一実施形態の暖房パネルの平面図、図２は図１の実施形態の左側面図、図３は、図１の実施形態のＡ−Ａ線での拡大断面図、図４は図１の実施形態の一部切り欠き平面図、図５は図１の実施形態における制御部の回路構成を示すブロック図、図６は、本発明の他の実施形態の暖房パネルの平面図である。
【００１３】
図１〜図４に示すように、暖房パネル本体１０は、左側面に吸気口１１を有している。そして、暖房パネル本体１０の上面１２には、左右の足載部１３，１３が設けられている。足載部１３，１３の回りには、図１に示すように一辺が並列に２列になるように、且つ、全体でコ字状に囲んで複数の吹出口１４，１４，・・が設けられている。
【００１４】
暖房パネル本体１０の内部には、交互に平行にＶ字の谷部２１とＶ字の山部２２が暖房パネル本体１０の左右方向に貫通するＶ字波形の放熱フィン２３が暖房パネル本体１０の底面１５と隙間Ｐを有して配置されている。放熱フィン２３の上には全体として蛇行した配置で第１ヒータ２４が設けられている。第１ヒータ２４は、放熱フィン２３の谷部２１内では、谷部２１に沿って配置されているが、放熱フィン２３の外部では隣の谷部２１に向けて折返して配置されており、第１ヒータ２４の両端は制御部２５に接続されている。
【００１５】
また、吸気口１１には、ファン２６が電線２７を介して制御部２５に接続されている。ファン２６には、足載部１３，１３の足元後方に図４に示すように、放熱フィン２３に向けて吹き出させるような送風ガイド２６ａが設けられている。ファン２６は吸気口１１より吸気した外気を送風口２６ｂから第１ヒータ２４及び放熱フィン２３に向けて吹き出させるものである。
【００１６】
ファン２６の送風口２６ｂには、第１ヒータ２４とは別の第２ヒータ２８が配置され、この第２ヒータ２８は電線２７を介して制御部２５に接続されている。制御部２５は電線２９を介して操作部３０に接続され、操作部３０は電線２９を介して電源プラグ３１に接続されている。
【００１７】
図５に示すように、制御部２５にはファン２６の回転速度を停止、低速、中速、高速等の複数段階に切り替え制御するファン制御手段３２と、第１ヒータ２４の発熱量を低温、中温、高温に切り替え制御する第１ヒータ制御手段３３、及び第２ヒータ２８の発熱量を低温、中温、高温に切り替え制御する第２ヒータ制御手段３４を有している。この制御部２５は、操作部３０よりの制御信号により、電源の投入・遮断、ファン制御手段３２、第１ヒータ制御手段３３、第２ヒータ制御手段３４が制御されるようになっている。
【００１８】
次に暖房パネルの動作について説明する。先ず、ファン２６を停止した状態で、足載部１３，１３だけが加熱される場合について説明する。操作部３０の図示しない第１ヒータの温度調整キーを操作して、第１ヒータ２４を発熱させると、放熱フィン２３が全面的に加熱され、暖房パネル本体１０の上面１２では第１ヒータ２４からの熱が放熱フィン２３の全面により輻射されて足載部１３，１３が放熱フィン２３の全面により平均的に加熱される。したがって、第１ヒータの温度調整キーの操作で、足載部１３，１３を適度な温度に調整することができる。
【００１９】
この状態で操作部３０の図示しないファン駆動キーを操作して、ファン２６を駆動させると、ファン２６が送風口２６ｂから吹き出した外気を放熱フィン２３に向けて吹き出して加熱させる。こ加熱させた外気による温風を暖房パネル本体１０の底部１２ａと放熱フィン２３との隙間Ｐから暖房パネル本体１０の足載部１３，１３の足元後方の吹出口１４，１４，・・から吹き出させる。
【００２０】
このとき、同時にファン２６が送風口２６ｂから吹き出した外気は、暖房パネル本体１０の内部で放熱フィン２３の谷部２１又は山部２２に衝突して谷部２１又は山部２２に沿って誘導され、暖房パネル本体１０の左右方向の両端部に向かい、暖房パネル本体１０の左右方向の両端部の吹出口１４，１４，・・から吹き出す。したがって、温風が足載部１３，１３をコ字状に囲んで吹出すので、足載部１３，１３に載って、立ち作業すると足元をコ字状に囲んで温風が吹出す。
【００２１】
複数の吹出口１４，１４，・・は足載部１３，１３の回りに、図１に示すように
一辺が平行して２列に設けられているので、吹出口１４，１４，・・から吹出す温
風は、吹出口１４，１４，・・を１列に設けたものよりも、真っ直ぐに高く上昇す
る。
【００２２】
また、外気が冷たく足載部１３，１３の温度に比べて温風が低温度であると感じるときには、第１ヒータ２４をさらに発熱するように操作部３０の操作キーの設定を切り替えて、吹出口１４，１４，・・から吹き出す温風を適度な温度にした場合に、足載部１３，１３の温度が熱くなりすぎたり、また、吹出口１４，１４，・・から吹き出す温風の温度が十分に熱くならないことがある。
【００２３】
このような場合には、先ず、操作部３０の第１ヒータの温度調整キーを操作して、第１ヒータ２４が足載部１３，１３の温度が適度な温度を維持する状態にする。そして、操作部３０の第２ヒータの温度調整キーを操作して、第２ヒータ２８を発熱させる。第２ヒータ２８はファン２６の送風口２６ｂに設けられているので、送風口２６ｂからは、第２ヒータ２８により外気が加熱された温風が放熱フィン２３に向けて吹き出され、足載部１３，１３を囲んで吹出す温風は、足載部１３，１３の温度の調整とは別に温度調整され、第１ヒータ２４が足載部１３，１３の温度が適度な温度を維持するようにしたままで、吹出口１４，１４，・・から吹き出す温風を適度な温度に調整できる。
【００２４】
図６は、本発明の他の実施形態の暖房パネルである。この実施形態の暖房パネルでは、暖房パネル本体１０の上面１２に設けられた足載部１３，１３の回りに、一辺が平行して２列になるように、且つ、全体でロ字状に囲んで複数の吹出口１４，１４，・・を設けている。また、複数の吹出口１４，１４，・・は、千鳥の配置に２列に設けられている。
【００２５】
この実施形態の暖房パネルでは、温風が足載部１３，１３の足元後方、及び、足元前方の吹出口１４，１４，・・から吹き出させるとともに、暖房パネル本体１０の左右方向に貫通する放熱フィン２３の谷部２１又は山部２２に沿って暖房パネル本体１０の左右方向の両端部の吹出口１４，１４，・・から吹き出させる。したがって、温風が足載部１３，１３をロ字状に囲んで吹き出すので、足載部１３，１３に載って、立ち作業すると作業者の体の足の周囲全面に温風が吹出す。
【００２６】
また、複数の吹出口１４，１４，・・は足載部１３，１３の回りに、千鳥の配置に２列に設けた複数の吹出口１４，１４，・・は、一方の列で隣接する吹出口１４，１４から吹出す各温風間の隙間から横風が吹き込む場合に、隣の列の吹出口１４，１４，・・は、一方の列の各温風間の隙間を遮って温風が吹出すから、作業者の体の足の周囲には温風が効率用良く吹出すものである。
【００２７】
本発明の暖房パネルは、第１ヒータ２４の輻射熱により足の裏や足元周りを暖め、周囲から上向きに温風が吹出すため、台所やレジなどの立ち仕事に限らず机の下に置いて、足を乗せて使用したり、車の後部座席の足の下に置いて効率よく暖房を行うことが出来る。
【００２８】
また、周囲から上向きに出される温風が足元を囲んで脚部全体に温風が吹出すため、台所やスーパーなどのレジで立ち作業する場合に足元を囲んで脚部全体に温風が吹出すようにできるので十分な暖房となる。
【産業上の利用可能性】
【００２９】
本発明は前記実施形態に限定されるものではなく、特許請求の範囲に記載された本発明を逸脱することがなければ、種々の設計変更が可能である。本発明の暖房パネルは、輻射熱により足の裏や足元周りを暖めるものであれば、前記実施例に限定されないことはいうまでもない。
【図面の簡単な説明】
【００３０】
【図１】本発明の一実施形態の暖房パネルの平面図である。
【図２】図１の実施形態の左側面図である。
【図３】図１の実施形態のＡ−Ａ線での拡大断面図である。
【図４】図１の実施形態の一部切り欠き平面図である。
【図５】図１の実施形態における制御部の回路構成を示すブロック図である。
【図６】本発明の他の実施形態の暖房パネルの平面図である。
【符号の説明】
【００３１】
１０  暖房パネル本体
１１  吸気口
１２  上面
１３  足載部
１４  吹出口
２１  谷部
２２  山部
２３  放熱フィン
２４  第１ヒータ
２５  制御部
２６  ファン
２６ａ  送風ガイド
２６ｂ  送風口
２７，２９  電線
２８  第２ヒータ
３０  操作部
３１  電源プラグ
３２  ファン制御手段
３３  第１ヒータ制御手段
３４  第２ヒータ制御手段
Ｐ  隙間
【図１】
2005127649.tif 000003
【図２】
2005127649.tif 000004
【図３】
2005127649.tif 000005
【図４】
2005127649.tif 000006
【図５】
2005127649.tif 000007
【図６】
2005127649.tif 000008